(57)【特許請求の範囲】
【請求項１】
傾斜状に立設した書物載置部の左右端に紐状体をたるみ状に懸架し、同紐状体にたるみの形状を変更するための重錘を移動自在に垂下してなる書見台であって、
前記重錘は、複数個であり、かつ少なくとも２個は重量を異にしたことを特徴とする書見台。
【請求項２】
紐状体は鎖であることを特徴とする請求項1に記載の書見台。
【発明の詳細な説明】
【技術分野】
【０００１】
本発明は、簡単な構造からなり、机上などにおいて書物を所定の傾斜角度に保持しながら見開いた頁を保持することができる書見台に関する。
【背景技術】
【０００２】
従来、書物のめくった頁を手で保持するという負担を負うことなく読書を可能にするという目的から、様々な形状及び構造の書見台が提案されている。このような書見台における共通した課題の一つは、書物を読み易くしかも頁をめくり易くすると共に見開いた頁を如何に抑えるかという点であった。
【０００３】
見開いた頁を抑える最も簡単な構造としては、書物を支持するために書物受部の下部に突設した起立縁で、見開いた頁の下端部を抑えて頁が閉じないようにするものがある。しかしこの構造では頁をめくる毎に書物を起立縁の上方に持ち上げる必要があり、煩雑であった。又、書物の大きさや頁内の余白の多少によっては、起立縁が文章を覆い、書物を持ち上げなければその部分を読む事ができないという欠点があった。斯かる欠点を解消するために、左右方向へ伸縮自在な頁抑え部により頁抑えを行う方法が提案されている。（たとえば、特許文献１参照。）すなわち、書物載置部の左右に、横方向へ摺動自在に変位するように頁抑え部を設けており、斯かる頁抑え部の構造は、見開き書物の両端部分を抑えて頁抑えの機能を果たす抑えローラと、同抑えローラを支持する小アームにより構成されている。
【０００４】
【特許文献１】特開２００２−２９１５３８号公報
【発明の開示】
【発明が解決しようとする課題】
【０００５】
しかしながら、このような書見台にあっては、書物を書見台に載置する際、事前に、書物が載置できる程度の幅に頁抑え部を離隔しておく必要があり、又書物を載置した後も書物の幅に合わせて頁抑え部を近接する作業が必要となるため、非常に手間がかかっていた。又、書物を載置して頁抑えを行う際にはローラが書物の前面に位置し、文章ラインを隠してしまうためローラを支持する小アームを前方に起立させることでこれを解消するようにしているが、この際、他端のローラのみで見開き頁を抑えることになるため、安定して頁を抑えることができないという欠点があった。さらに、頁をめくる際には抑えローラからめくる頁の端部を容易に引き出すことができるが、他端の抑えローラの下にめくった頁の端部を挿入固定する作業には要領を要し、円滑にめくり作業を行うことができないという欠点があった。加えて、このような書見台の構造は複雑となり高価になることが避けられないため、一般家庭等において誰しもが安価で気軽に読書を楽しむ書見台としては望ましくなかった。
【０００６】
本発明は、従来の斯かる実情に鑑みてなされたものであって、簡単な構造かつ安価であり、確実に書物を保持しながらも簡単にめくり作業ができる書見台を提供するものである。
【課題を解決するための手段】
【０００７】
そこで、請求項１に係る本発明では、傾斜状に立設した書物載置部の左右端に紐状体をたるみ状に懸架し、同紐状体にたるみの形状を変更するための重錘を移動自在に垂下してなる書見台であって、前記重錘は、複数個であり、かつ少なくとも２個は重量を異にしたこととした。
【０００８】
請求項２に係る本発明では、請求項１に記載の書見台において、紐状体は鎖であることを特徴とする。
【発明の効果】
【００１０】
請求項１に係る本発明では、傾斜状に立設した書物載置部の左右端に紐状体を係止してたるみ状に懸架し、同紐状体にたるみの形状を変更するための重錘を移動自在に垂下することとしたため、紐状体と重錘で見開いた頁を抑えておくことができると共に、重錘を左右に変位させることにより、文章ラインを隠した紐状体を変形させて、隠れた文章ラインを読むことが可能となる。これは、特に横書きの書物において効果を発揮する。又、たるみ状の紐状体は書物等を過度に押さえ付けることなく適度な長さの余裕を持つ為、容易に頁をめくることができる効果がある。しかも、重錘は、複数個であり、かつ少なくとも２個は重量を異にしたことを特徴とするため、「重錘の位置」と「重量差」を利用して紐状体としての鎖のたるみ形状を任意に変更できる効果がある。又、一方の重錘をわずかに移動変位させるだけで、たるみ形状を全く異な状態とする事ができ、さらに、移動させる重錘の重量によってたるみ形状の変形量が異なってくるため、重量の異なる複数の重錘の中から移動変位させる重錘を任意に選択することにより、たるみ形状の変形量を自在に調整することが可能である。これにより、様々なたるみ形状を形成することができ、したがって、文章ラインの隠れを容易に解消できる効果がある。
【００１１】
請求項２に係る本発明では、請求項１に記載の書見台において、紐状体は鎖であることを特徴とするため、鎖目の、任意の位置で書物載置部側面の係止具に掛止することができ、書見台本体前面での鎖のたるみ長を自在に調節することができる。したがって、書物の大小、厚薄に合わせた適当なたるみ長に調節でき、頁抑えを容易に行うことができる効果がある。又、鎖目の係合部分に重錘を係合させることができるため、重錘が鎖に沿って不用意に摺動することなく、一定の鎖の位置に重錘を吊下した状態とする事ができる。したがって、重錘を鎖のどの位置に移動させても確実に吊下することができ、任意のたるみ形状を保持できる効果がある。
【発明を実施するための最良の形態】
【００１３】
以下、本発明を実施するための最良の形態について、図面に基づいて詳説する。
【００１４】
図１は、本発明に係る書見台Ａの立設状態を示す斜視図、図２は背面の支持板を収納状態とした書見台Ａの背面図である。
【００１５】
図１に示すように、本発明に係る書見台Ａは、書見台本体１と、書見台本体１の両側面に設けた係止具４,４に係止して懸架した紐状体としての鎖１０と、同鎖１０に移動自在に垂下した２個の重錘Ｗ,wと、からなる。
ここで、前記２個の重錘Ｗ,wはそれぞれ重量を異にしたリング状の重錘である。
なお、鎖に垂下する重錘は２個としているがこれに限定されず１個でもよい。しかし複数個とした場合、そのうち少なくとも２個は重量を異にすることとする。
【００１６】
書見台本体１は、書物の背側を支持する方形板状の書物載置部２と、書物載置部２前面の下端縁に沿って突設され書物の下端を受ける張り出し台３とを有する。張り出し台３の上端部には深さの異なる逆山形切欠部１９,１９を左右に複数個形成し、書見台Ａの使用状態に無い場合に重錘Ｗ,wを係合収納できるようにしている。また書物載置部２の両側端面上部にはフック状の係止具４,４を設けており、この係止具４,４に、リング状の重錘Ｗ,wを垂下した鎖１０の所要位置を係止して、鎖１０を書見台本体１前面にたるみ状、すなわち書見台本体前面でたるんだ状態となるように懸架している。なお、鎖１０の任意の鎖目で係止具４,４に係止できるため、書見台本体１前面に懸架する鎖のたるみ長を適当に調整することが可能である。
【００１７】
紐状体は、必ずしも鎖形状である必要はなく、リング状の重錘Ｗ,wを吊下して見開いた頁を抑え、その位置から重錘Ｗ,wが自重により摺動することがないように任意の箇所で容易に係止できるものであればよい。本実施形態においては、図４に示す形状の鎖１０としている。
【００１８】
図４は、本実施形態における紐状体としての鎖１０と重錘Ｗ（w）の拡大図であり、図４に示すように、鎖１０は単位単線の両自由端を折曲して両端部に略三角形状の左右ループ部を形成すると共に、各左右ループ部を略９０度に捻って形成した単位アングル部を多数互いにループ部で係合させて連鎖状に結線してなる紐状体である。したがって、重錘Ｗ,wを鎖１０のどの位置に移動させても鎖の単位アングル部の凹部や互いの係合部に確実に吊下することができ、任意のたるみ形状を保持できる。
【００１９】
他の実施例として、紐状体は図８に示すような形状の鎖２０とすることもできる。この鎖２０のように係止部分が比較的なだらかな紐状体を使用する場合には、リング状の重錘Ｗ'を垂下させる際、環状ブラケット２１等を介して垂下させると重錘を紐状体に係止させやすい。
【００２０】
この環状ブラケット２１は、Ｕ字型の吊下部２１ａと、雄ネジ２１ｂからなり、前記吊下部２１ａは、Ｕ字開口付近の両側面に設けたねじ孔に雄ネジ２１ｂを螺合貫通させることにより環状を形成し、ブラケットとしての機能を果たす。そして、前記雄ネジ２１ｂが小径であるため、鎖２０のように係止部分となる凹部が浅い紐状体であっても容易に重錘を係止する事ができる。
【００２１】
リング状の重錘Ｗ,wのリング部に通された鎖１０の両端部は、図２に示すように結合環１１を介して連結されているため、鎖１０は無端状の輪をなしている。そのため、書見台本体１から鎖１０を取り外す際に、鎖に垂下した重錘Ｗ，wが不用意に鎖から離脱して落下することが無い。また、この鎖１０は、様々な大きさ・厚みの書物にも対応できるよう十分余裕を持たせた長さとしている。
【００２２】
また、図２に示すように書見台本体１の背面には、書物載置部２背面に一対の支持基部５，５を設けており、同支持基部５,５に、三角形状の一対の支持板６，６を、蝶番１５,１５及びビス１６,１６,１６,１６，・・によって観音開き状に開閉自在に取り付けている。
同支持板６，６を組立て状態とすると、支持板６，６は書物載置部２背面で略直角に直立状態となり、書見台Ａを傾斜して支持することになる。
また、この支持板６,６の開き具合を調整することで書物載置部２の傾斜角度を調節することができる。なおこの際、図３に示すように両支持板６,６の後端面にフック状の係止具２４,２４を設け、同係止具に鎖３０等の紐状体を係止して懸架してもよい。すなわち、鎖３０の任意の鎖目で係止具２４,２４に係止することにより支持板６,６の開き具合を調整して書物載置部の傾斜角度を調節した後に、支持板６,６は、重量のある書物を載置するなどして力が加えられても調節した任意の角度以上に開くことがなく、安定して書物を支持することができる。
【００２３】
前記支持板６，６の上方位置には折畳み自在の支持脚部７を設けており、同支持脚部７は、書物載置部２背面に取り付けた小板片７ａと、同小板片７ａに蝶番1７,1７及びビス１８,１８,１８,１８，・・により垂直方向に回動自在に取り付けた他方の小板片７ｂからなる。
【００２４】
前記支持脚部７は、書見台本体１背面の一対の支持板６,６を畳んで収納した状態で組立て使用するものであり、書見台本体１を可及的に水平に近い傾斜状にセットする場合に組立て、書見台本体１の上部をやや浮上させた傾斜状態とするものである。
なお、支持脚部７は、書見台本体１を把持携行する場合の取手の機能も果たす。
【００２５】
以下、本書見台の使用形態について図５〜図７を参照して説明する。
【００２６】
本書見台Ａは、持ち運びしやすい形態へと変形させることができる。この時、支持板５,５を閉状態とすると書見台本体１は肉薄な略板状となり、持ち運びの邪魔にならない。またこの際に支持脚部７を組立て状態にして取手として把持すると携帯し易い。
このように、本書見台Ａは持ち運びが容易であるため、読書したい場所へ何処へでも携帯し、読書することができる。
【００２７】
次に、本書見台Ａをセットする場合について説明する。例えば机上に設置して読書する場合、書物載置部２背面の支持板６,６を組立て状態にし、各支持板６,６の底部が机上面に接するように書見台本体１を設置する。この時支持板６,６は、書見台本体１を後方に傾けると自重により自ら組立て状態となり、その状態のまま机上に載置する事ができるので、わざわざ手で支持板６,６を左右に開く手間がかからない。
【００２８】
その後、重錘Ｗ,wを垂下した状態の鎖１０を、書物載置部２両側面の係止具４,４に係止して懸架する。この時、鎖１０の任意の鎖目を係止することにより、書見台本体１前面における鎖１０のたるみ長を適当な長さに調節できる。したがって、これから読書しようとする書物の大きさや厚みを多少考慮し、ある程度余裕を持たせたたるみ長とする事ができるため、本書見台Ａは、様々な書物の大小・厚薄に対応可能である。
【００２９】
そして、これから読書しようとする書物を書見台Ａへ載置する。図５に示すように、読みたい頁で見開いた書物Ｂを、書見台本体１の上部から、鎖１０と書物載置部２の間に挿入し、張り出し台３の上端が書物の下端を受けるように書物を載置する。この時、鎖１０は自重と重錘Ｗ,wの重みによって、書物の見開き頁を抑え、見開いた頁が閉じないように確実に保持することができる。しかも、鎖１０は適度なたるみを持たせた状態で係止具４,４に懸架するため、書物Ｂを過度に押さえ付けず、見開き頁に開き癖をつけたり頁を抑えた箇所に型をつけたりせず書物を傷めることが無いし、頁をめくる際片手でも容易に頁めくりを行うことができる。
【００３０】
このようにして、載置した書物Ｂを見開いた頁で保持しながら読書する。この時、鎖１０と重錘Ｗ,wは書物の字面上に位置しているため、書物Ｂの見開いた頁における文章部分を一部隠した状態となるが、この状態は重錘Ｗ,wを左右の任意の位置へと摺動させ、文章部分を隠した鎖を変形させることで隠れた字面が現れるために容易に解消することができる。
【００３１】
斯かる鎖１０と重錘Ｗ,wの変位状態を、図６を参照しながら説明する。
【００３２】
本書見台本体Ａに書物を載置した時、図６（ａ）に示すように、鎖１０が文章ラインを一部隠した状態となっている。隠れた文章ラインの、例えばＬ部分を読みたい場合、重錘Ｗ,wを摺動させて鎖１０のたるみ形状を変形させ、この隠れを解消する。重錘Ｗ,wはそれぞれ重量の異なる重錘であるため、どの重錘を移動変位させるかにより鎖１０のたるみ形状の変形量が異なり、さらに大小の重錘Ｗ,wの移動変位を組合わすことにより、どのような文章ラインの隠れであっても容易に解消することができる。
【００３３】
例えば、図６（a）に示す状態から、重錘Ｗを鎖１０に沿って左方向にｘ移動させると、鎖１０のたるみ形状は、図６（ｂ）に示すように変形し、鎖１０の重錘Ｗ,w間の部分が下方へ変位するために隠れていた文章ラインＬを出現させ、その文章ラインＬ部を読む事を可能にする。
【００３４】
上記は一例であり、重錘を移動させる移動量や方向、又その移動させる重量の異なる重錘の選択により、たるみ形状は幾通りにも形成できるため、最小の変位作業により文章ラインの隠れを解消する方法は幾多もある。
【００３５】
すなわち、文章ラインＬの隠れを解消する他の方法例として、重錘Ｗを図６（ａ）における位置から右方向へ移動させ、これにより鎖１０を文章ラインＬの上方へと変位させて文章ラインＬを出現させる方法(図７(ａ)参照)や、重錘wを図６における位置から右方向へ移動させ、これにより鎖１０を文章ラインＬより下方へ変位させて文章ラインＬを出現させる方法（図７(ｂ)参照）、重錘wを図６における位置から左方向へ移動させ、これにより鎖１０を文章ラインＬの上方へと変位させて文章ラインＬを出現させる方法(図７(ｃ)参照)、等が挙げられる。
【００３６】
以上のように、これから読みたい文章ラインが紐状体と重錘により隠された状態となっていたとしても、重錘を左右に移動させて紐状体のたるみ形状を変形させ、紐状体をその文章ラインの上方又は下方へ変位させることにより同文章ラインの隠れを解消しながら書物を読み進めることができる。
重錘を移動させる作業は、重錘のリング部分に指を通して移動させる等非常に楽な動作ですむため読書を中断することなく快適に読書を継続することができる。
【００３７】
このように本書見台は、簡単な構造でありながら、書物を読みやすくかつ頁をめくり易く、しかも確実に、書物の見開いた頁を抑えることを可能としている。
【００３８】
なお、本書見台を机上に設置して読書する際の使用態様については上述した通りであるが、例えばベッド上等に寝そべって読書する場合は、書物に与える傾斜角度が大きすぎると読書する際首に負担をかけてしまうし、また逆に傾斜をつけない状態では光が反射する等して書物が読みづらい。従ってこの場合は、書物には緩やかな傾斜を与えることが望ましく、前述したように本書見台Ａは、図９に示すように、書見台本体１背面の一対の支持板６,６を収納した状態で支持脚部７を組立てて使用すると書物載置部２を緩勾配とした形態へ変形できるため、寝そべって読書する場合等にも対応可能である。
【図面の簡単な説明】
【００３９】
【図１】本実施形態の書見台の斜視図である。
【図２】本実施形態の書見台の背面図である。
【図３】他の実施例の書見台の背面図である。
【図４】書見台を構成する鎖と重錘の拡大図である。
【図５】書見台の使用形態における右視側面図である。
【図６】書見台の使用形態の説明図である。
【図７】書見台の使用形態の説明図である。
【図８】他の実施例の鎖と重錘の拡大図である。
【図９】書見台の他の使用態様の右視側面図である。
【符号の説明】
【００４０】
Ａ  書見台
１  書見台本体
２  書物載置部
３  張り出し台
４  係止具
５  支持基部
６  支持板
７  支持脚部
7a  小板片
7b  小板片
10  鎖
11  結合環
Ｗ  重錘
w  重錘
Ｂ  書物
【図１】
0004745787.tif 000002
【図２】
0004745787.tif 000003
【図３】
0004745787.tif 000004
【図４】
0004745787.tif 000005
【図５】
0004745787.tif 000006
【図６】
0004745787.tif 000007
【図７】
0004745787.tif 000008
【図８】
0004745787.tif 000009
【図９】
0004745787.tif 000010